(57)【要約】【課題】施工後の検査において、インコアの樹脂パイプへの内挿を容易かつ確実に外方から視認することができる継手を提供する。【解決手段】インコア４０は略円筒状に形成され、樹脂パイプ２の端部に内挿される筒部４１と、筒部４１に対して直交するように外方へ延びる円環状の鍔部４２とから構成されている。このインコア４０の長さＬは、樹脂パイプ２の本体１０及び押し輪２０内への挿入深さＤよりも長い長さに設定されている。継手１に樹脂パイプ２を挿着するときには、インコア４０の筒部４１を、鍔部４２の先端部が樹脂パイプ２の端面に当接するまで樹脂パイプ２の端部に内挿する。インコア４０の鍔部４２が当接面１８に当るまで十分に深く樹脂パイプ２を継手１に差し込む。【選択図】図１
2008248939.tif 000002
【特許請求の範囲】
【請求項１】
筒状をなし、内部に設けられた当接面まで透明又は半透明の樹脂パイプが挿入可能な本体と、
該本体の樹脂パイプ挿入端部に取付けられる押し輪と、
該本体と該押し輪との間に設けられ、樹脂パイプを抜け止め保持するための保持手段と、
筒部及びその一端側に設けられる鍔部より構成され、樹脂パイプの内側への変形を防止するために樹脂パイプの端部に内挿されるインコアと
を備えてなる継手において、
前記インコアの長さＬは、該本体及び押し輪内への樹脂パイプの挿入深さＤよりも長い長さに設定されていることを特徴とする継手。
【請求項２】
請求項１において、該インコアの長さＬは該挿入深さＤよりも２〜１２ｍｍ長いことを特徴とする継手。
【請求項３】
請求項１又は２において、該インコアは合成樹脂製であることを特徴とする継手。
【請求項４】
請求項３において、該インコアは着色された合成樹脂製であることを特徴とする継手。
【発明の詳細な説明】
【技術分野】
【０００１】
本発明は、水道配管、温水配管、床暖房、ロードヒーティング等に使用される透明又は半透明をなす樹脂パイプ用の継手に関するものである。さらに詳しくは、施工後の検査において、インコアの樹脂パイプへの内挿を容易かつ確実に外方から視認することができる継手に関するものである。
【背景技術】
【０００２】
従来、この種の継手は、筒状をなし、内部に樹脂パイプが挿入可能な継手本体と、樹脂パイプの端部に内挿され、継手本体内に樹脂パイプが挿入されたときには、樹脂パイプの内側への変形を防止するためのインコアとを備えている。樹脂パイプは、架橋ポリエチレンやポリブテン等の合成樹脂材料により、透明又は半透明に形成されている。
【０００３】
インコアは、円筒状をなす筒部と、筒部の一端側に突出形成される円環状をなす鍔部とから構成され、その長さは樹脂パイプの継手本体内への挿入深さと略同じ長さに設定されている。
【０００４】
継手に樹脂パイプを挿着するときには、樹脂パイプの端部にインコアを内挿した後、インコアが内挿された側の樹脂パイプの端部を継手本体内に挿入する。このとき、インコアの長さは樹脂パイプの継手本体内への挿入深さと略同じ長さに設定されているために、作業者が、樹脂パイプとともにインコア全体が継手本体内に挿入されるのを外方から樹脂パイプを通して視認することにより、継手本体内への樹脂パイプの挿入深さが不十分となるのを防止することができる。
【０００５】
ところが、この従来の継手においては、継手に樹脂パイプを挿着した後には、インコアはその全体が継手本体内に挿入されている。そのため、施工後の検査において、樹脂パイプの端部にインコアが内挿されている継手と、樹脂パイプの端部にインコアが内挿し忘れられている継手とを外方から視認によって区別するのが困難なために、樹脂パイプの端部にインコアが内挿し忘れられている継手を発見することができない場合があった。そして、樹脂パイプの端部にインコアが内挿し忘れられている継手を使用したときには、熱や圧力等によって樹脂パイプが変形し、継手から脱落するおそれがある等の問題があった。
【０００６】
かかる問題点を解決するものとして、特開２００３−３２９１８３には、押し輪にインコア視認用の切欠状凹部を設けることが記載されている。
【特許文献１】特開２００３−３２９１８３
【発明の開示】
【発明が解決しようとする課題】
【０００７】
しかしながら、このような視認用凹部は狭幅であり、インコアを十分に視認することが容易ではないという不便があった。
【０００８】
本発明は、上記のような従来技術に存在する問題点に着目してなされたものであり、施工後の検査において、インコアが樹脂パイプへ内挿されており、しかも樹脂パイプが継手に十分に深く挿入されていることを容易かつ確実に外方から視認することができる継手を提供することを目的とする。
【課題を解決するための手段】
【０００９】
請求項１に記載の継手は、筒状をなし、内部に設けられた当接面まで透明又は半透明の樹脂パイプが挿入可能な本体と、該本体の樹脂パイプ挿入端部に取付けられる押し輪と、該本体と該押し輪との間に設けられ、樹脂パイプを抜け止め保持するための保持手段と、筒部及びその一端側に設けられる鍔部より構成され、樹脂パイプの内側への変形を防止するために樹脂パイプの端部に内挿されるインコアとを備えてなる継手において、前記インコアの長さＬは、該本体及び押し輪内への樹脂パイプの挿入深さＤよりも長い長さに設定されていることを特徴とするものである。
【００１０】
請求項２に記載の継手は、請求項１において、該インコアの長さＬは該挿入深さＤよりも２〜１２ｍｍ長いことを特徴とするものである。
【００１１】
請求項３に記載の継手は、請求項１又は２において、該インコアは合成樹脂製であることを特徴とするものである。
【００１２】
請求項４に記載の継手は、請求項３において、該インコアは着色された合成樹脂製であることを特徴とするものである。
【発明の効果】
【００１３】
本発明の継手にあっては、インコアの長さＬを樹脂パイプ挿入深さＤよりも長くしているので、インコアを装着した樹脂パイプを継手内に正しく装着したときには、インコアの末端が継手の押し輪から規定長さだけ突出する。従って、施工後の検査において、インコアが樹脂パイプへ内挿されていることを容易かつ確実に外方から視認することができる。また、施工後の検査において、インコアが押し輪から規定長さだけ突出していることを確認することにより、樹脂パイプの継手本体内への挿入不足の有無を容易に判別することができる。
【００１４】
なお、請求項３に記載の発明の継手によれば、インコアが着色されているので、インコアの被視認性が良好であり、樹脂パイプへ内挿されたインコアをより容易かつより確実に外方から視認することができる。なお、本発明の継手にあっては、押し輪に視認用凹部を設けることが不要であり、押し輪として通常の普及品形状のものを採用することができる。
【発明を実施するための最良の形態】
【００１５】
以下、本発明の実施の形態を図面に基づいて詳細に説明する。第１図は実施の形態に係る継手の側面図であり、上半分を断面としてある。
【００１６】
この継手１は、本体１０と、該本体１０の樹脂パイプ２の挿入端部に取り付けられる押し輪２０と、該押し輪２０の内周面に設けられた保持手段としてのかしめリング３０と、樹脂パイプ２に内挿されたインコア４０とを備えている。
【００１７】
この実施の形態では、本体１０は、長い筒状であり、本体１０の一端から他端まで延在する本体主部１１と、該本体主部１１のうちパイプ挿入端と反端側の外周に外嵌した短い筒状の本体副部１２とからなる。
【００１８】
本体副部１２の基端部外周面には雄ねじ部１３が螺刻され、図示しない水道配管等の管体に螺合可能になっている。本体主部１１の樹脂パイプ挿入端部の外周面には凸部よりなるストッパ部１４が突設され、略円筒状をなす押し輪２０の先端部内周面に全周にわたって周設された凹条よりなる係合溝２１が係合可能となっている。また、本体主部１１のパイプ挿入端側の内周面には２本のＯリング１６，１６が嵌合配置されている。Ｏリング１６，１６間には環状のバックアップリング１７が介在されている。
【００１９】
このＯリング１６，１６よりもさらに奥側において、本体主部１１の内周面を縮径させることにより当接面１８が設けられている。この当接面１８は、筒状の本体主部１１の筒軸心線方向と垂直方向の面である。
【００２０】
押し輪２０は、その一半側が本体主部１１の挿入端側の外周に外嵌し、他半側が樹脂パイプ２に外嵌する環状体である。前記係合溝２１は、この一半側の内周面に設けられている。この他半側の内周面に前記かしめリング３０が装着されている。このかしめリング３０は、内周端側が樹脂パイプ２の挿入方向に傾斜しており、樹脂パイプ２のスムーズな挿入を許容するが、樹脂パイプ２の外周面に食い込むことにより樹脂パイプ２の抜け出しを阻止する機能を有している。
【００２１】
インコア４０は略円筒状に形成され、樹脂パイプ２の端部に内挿される筒部４１と、筒部４１の先端部に突出形成され、筒部４１に対して直交するように外方へ延びる円環状の鍔部４２とから構成されている。このインコア４０の長さＬは、樹脂パイプ２の本体１０及び押し輪２０内への挿入深さＤよりも長い長さに設定されている。
【００２２】
なお、この挿入深さＤは、当接面１８から押し輪２０の挿入端までの距離である。
【００２３】
樹脂パイプ２は円筒状に形成され、水道の配管等に使用される。樹脂パイプ２は、架橋ポリエチレンやポリブテン等の合成樹脂材料により、透明又は半透明に形成されている。樹脂パイプ２の先端面は、樹脂パイプ２の軸線と略直交するように切断されている。
【００２４】
継手１に樹脂パイプ２を挿着するときには、インコア４０を樹脂パイプ２の端部に内挿する。即ち、インコア４０の筒部４１を、鍔部４２が樹脂パイプ２の端面に当接するまで樹脂パイプ２の端部に内挿する。
【００２５】
なお、押し輪２０は、本体１０に装着しておく。
【００２６】
次いで、樹脂パイプ２を先端側から押し輪２０を通して本体１０内に差し込む。インコア４０の鍔部４２が当接面１８に当るまで十分に深く樹脂パイプ２を継手１に差し込むことにより、図示のように樹脂パイプ２が継手１に装着される。前記の通り、樹脂パイプ２の外周面にかしめリング３０が食い込むと共に、樹脂パイプ２の内周にインコア４０の筒部４１が密着することにより、樹脂パイプ２が抜け出すことが防止される。
【００２７】
この実施の形態では、インコア４０の長さＬが樹脂パイプ２の挿入深さＤよりも長く、インコア４０の後端側が押し輪２０から規定長さだけはみ出している。
【００２８】
従って、このインコア４０の後端側が規定長さだけはみ出していることを樹脂パイプ２を通して視認することにより、樹脂パイプ２が正しく、すなわち鍔部４２が、当接面１８に当るまで差し込まれたことを確認することができる。また、インコア４０を視認することにより、インコア４０を樹脂パイプ２に装着したことを最終的に確認することもできる。
【００２９】
なお、インコア４０を赤、青、黄、緑、黒などに着色しておくことにより、樹脂パイプ２を通してインコア４０を視認し易くなる。インコア４０の材料としては金属、合成樹脂などのいずれでもよいが、合成樹脂であると鮮明な有彩色の着色を容易に施すことができる。
【００３０】
インコア４０の押し輪２からの突出長さＬ−Ｄは、通常２〜１２ｍｍ特に５〜１０ｍｍ程度が好適である。Ｌ−Ｄがこの範囲であれば、インコア４０の後端側を確実に視認することができると共に、インコア４０の長さが過大ではなく、インコア４０の筒部４１を樹脂パイプ２に挿入し易い。
【００３１】
上記実施の形態では、本体１０を本体主部１１と合成樹脂副部１２との２体で構成しているが、一体物であってもよく、また３体以上の連結体にて構成されてもよい。
【００３２】
また、上記実施の形態では、押し輪２０の一半側を本体１０に外嵌させる構造としたが、特開２００３−３２９１８３のように押し輪２０の一半側を本体１０に内嵌させる構造としてもよい。また、押し輪２０は本体１０に対し螺じ込みにより固着されるものであってもよい。
【００３３】
本体１０や押し輪２０の構成材料は、特に限定されるものではなく、金属、合成樹脂など各種材料を用いることができる。
【図面の簡単な説明】
【００３４】
【図１】実施の形態に係る継手の側面図である。
【符号の説明】
【００３５】
１  継手
２  樹脂パイプ
１０  本体
１１  本体主部
１２  本体副部
１６  Ｏリング
１７  バックアップリング
１８  当接面
２０  押し輪
３０  かしめリング（保持手段）
４０  インコア
４１  筒部
４２  鍔部
【図１】
2008248939.tif 000003